(57)【要約】  カバーシートアセンブリ（１０）をタッチスクリーンシステム（２００）に提供する。カバーシートアセンブリは、タッチスクリーンシステムの基板の導電性領域にわたって配置するように構成した表面（１４）を有する絶縁層（１２）を含む。導電性材料（１６）は、絶縁層表面の少なくとも一部に配置されている。導電性材料が、第１方向に対して垂直な第２方向に偏光した第２偏光に対してよりも、第１偏光に対して一層透明であるように、導電性材料は、第１偏光の第１方向に対して配向するパターンで配置した複数の微小直線状導電性要素（２２）を含む。【特許請求の範囲】
【請求項１】
タッチスクリーンシステム用カバーシートアセンブリであって、
タッチスクリーンシステムの基板の導電性領域上に配置するように構成した表面を有する絶縁層；および
絶縁層表面の少なくとも一部に配置される導電性材料であって、導電性材料が、第１方向に対して垂直な第２方向に偏光した第２偏光に対してよりも、第１偏光に対して一層透明であるように、第１偏光の第１方向に対して配向するパターンで配置される複数の微小直線状導電性要素を含んで成る導電性材料
を有して成るカバーシートアセンブリ。
【請求項２】
複数の微小直線状導電性要素のパターンが、（ａ）第１偏光の第１方向より第２偏光の第２方向により整列する、および（ｂ）第２偏光の第２方向とほぼ整列する、のいずれか一方の整列方向に配向している、請求項１に記載のカバーシートアセンブリ。
【請求項３】
導電性材料が、第２偏光に対してよりも第１偏光に対して少なくとも１％一層透明であるように、複数の微小直線状導電性要素のパターンが、第１偏光の第１方向に対して配向している、請求項１に記載のカバーシートアセンブリ。
【請求項４】
微小直線状導電性要素は、導電性ポリマー、カーボンナノ粒子および金属ナノ粒子の少なくとも１つを含んで成る、請求項１に記載のカバーシートアセンブリ。
【請求項５】
タッチスクリーンシステム用基板アセンブリであって、
基板；および
基板に導電性タッチ領域を提供するために、基板の表面の少なくとも一部に配置される導電性材料であって、第１方向に対して垂直な第２方向に偏光した第２偏光に対してよりも、第１偏光に対して一層透明であるように、導電性材料が、第１偏光の第１方向に対して配向するパターンで配置された複数の微小直線状導電性要素を含んで成る導電性材料
を有して成る基板アセンブリ。
【請求項６】
複数の微小直線状導電性要素のパターンが、（ａ）第１偏光の第１方向より第２偏光の第２方向により整列する、および（ｂ）第２偏光の第２方向とほぼ整列する、のいずれか一方の整列方向に配向している、請求項５に記載の基板アセンブリ。
【請求項７】
導電性材料が、第２偏光に対してよりも第１偏光に対して少なくとも１％一層透明であるように、複数の微小直線状導電性要素のパターンは、第１偏光の第１方向に対して配向している、請求項５に記載の基板アセンブリ。
【請求項８】
微小直線状導電性要素は、導電性ポリマー、カーボンナノ粒子および金属ナノ粒子の少なくとも１種でできている、請求項５に記載の基板アセンブリ。
【請求項９】
基板上のタッチ領域上に配置した絶縁層を更に有して成り、基板と向き合う絶縁層の表面が、基板表面上の導電性材料上に直接配置されている、請求項５に記載の基板アセンブリ。
【請求項１０】
基板上のタッチ領域上に配置したカバーシートを更に有して成る、請求項５に記載の基板アセンブリであって、カバーシートは、絶縁層、および基板に一般的に向かい合う絶縁層の表面の少なくとも一部に配置した第２導電性材料を有して成り、好ましくは、複数の微小直線状導電性要素は、第２導電性材料が第２偏光に対してよりも第１偏光に対して一層透明であるように第１の複数の微小直線状導電性要素であり、そのパターンは第１パターンであり、かつその第２導電性材料は、第１偏光の第１方向に対して配向する第２パターンで配置した第２の複数の微小直線状導電性要素を含んで成る、基板アセンブリ。
【発明の詳細な説明】
【技術分野】
【０００１】
本発明の背景
本発明は、一般的にはコンピュータタッチスクリーンに関し、より詳細にはタッチスクリーン用導電性材料に関する。
【背景技術】
【０００２】
１９７０年代初頭のそれらの導入以来、タッチスクリーンは、ある種のコンピュータ用途に対してキーボードの代替手段を提供してきた。タッチスクリーンが利用者にコンピュータへのアクセスを提供するため、多くの状況において、キーボードおよびマウスは省略されている。抵抗性タッチスクリーンおよび容量性タッチスクリーンは双方とも、例えば液晶ディスプレイ（ＬＣＤ）といったディスプレイの面にわたって配置される、ガラスパネルのような基板を一般的に含む。基板は、その表面に導電性材料を含む。使用者のタッチスクリーンへの入力を受け取るために、導電性材料は基板表面に導電性領域を規定する。入力を選択するよう、使用者が触れる表面を提供するために、絶縁層が導電性領域にわたって配置されている。
【０００３】
抵抗性タッチスクリーンにおいて、絶縁層は、基板と向かい合う絶縁層の表面にわたって配置した第２導電性材料を含む、カバーシートの一部を形成する。２つの導電性材料が離間するように、複数の絶縁ドットが、カバーシートを基板から離間させている。使用者がカバーシートに触れると、２つの導電性材料は使用者が触れた箇所にて互いに係合する（ｅｎｇａｇｅ）。容量性タッチスクリーンにおいて、絶縁層は、基板上の導電性材料に直接配置されている。
【０００４】
基板および絶縁層の双方の上にある導電性材料を、一般的には酸化インジウムスズ（ＩＴＯ）から作る。幾つかのタッチスクリーン用途に望ましいように、ＩＴＯは、導電率の所定値に対して良好な透明性を一般的に提供するため、ＩＴＯはしばしば用いられている。しかしながら、インジウムの供給は限られているため、ＩＴＯは比較的高価になり得る。更に、インジウムの需要を増加させることは、世界の供給量が減少するにつれて、ＩＴＯをより一層高価にさせる可能性がある。ＩＴＯを代替するために、導電性ポリマーの分子、カーボンナノチューブおよび／または金属ナノファイバのような、幾つかの種類の微小直線状導電性要素（ＭＬＣＥｓ）が、タッチスクリーンの基板および／またはカバーシート上に存在する導電性材料中に用いるように提案されている。しかしながら、少なくとも幾つかのそのような提案されているＭＬＣＥ材料は、所定の導電率に対して、ＩＴＯの透明性に及ばない。
【０００５】
導電性材料の所望の程度の導電率を維持しながら、タッチスクリーン用のＭＬＣＥに基づく導電性材料の透明性を向上させる必要がある。
【０００６】
本発明の簡単な説明
１つの実施態様において、カバーシートアセンブリをタッチスクリーンシステムに提供する。カバーシートアセンブリは、タッチスクリーンシステムの基板の導電性領域にわたって配置するように構成した表面を有する絶縁層を含む。導電性材料は、絶縁層表面の少なくとも一部に配置されている。導電性材料が、第１方向に対して垂直な第２方向に偏光した第２偏光に対してよりも、第１偏光に対して一層透明であるように、導電性材料は、第１偏光の第１方向に対して配向するパターンで配置した複数の微小直線状導電性要素を含む。
【０００７】
もう１つの実施態様において、基板アセンブリをタッチスクリーンシステムに提供する。基板アセンブリは、基板、および基板上に導電性タッチ領域を提供するために、基板の表面の少なくとも一部に配置した導電性材料を含む。導電性材料が、第１方向に対して垂直な第２方向に偏光した第２偏光に対してよりも、第１偏光に対して一層透明であるように、導電性材料は、第１偏光の第１方向に対して配向するパターンで配置した複数の微小直線状導電性要素を含む。
【０００８】
もう１つの実施態様において、タッチスクリーンシステム用の基板アセンブリを提供する。基板アセンブリは、第１表面および第１表面に対向する第２表面を有する基板、ならびに基板上に導電性タッチ領域を提供するために、基板の第１表面の少なくとも一部に配置した第１導電性材料を含む。第２導電性材料は、基板の第２表面の少なくとも一部に配置されている。第２導電性材料が、第１方向に対して垂直な第２方向に偏光した第２偏光に対してよりも、第１偏光に対して一層透明であるように、第２導電性材料は、第１偏光の第１方向に対して配向するパターンで配置した複数の微小直線状導電性要素を含む。
【図面の簡単な説明】
【０００９】
【図１】図１は、本発明の１つの実施態様に基づいて形成した、タッチスクリーンカバーシートアセンブリの斜視図である。
【００１０】
【図２】図２は、図１の線２−２に沿う、図１に示すタッチスクリーンカバーシートアセンブリの断面図である。
【００１１】
【図３】図３は、図１および図２に示すタッチスクリーンカバーシートアセンブリの概略図である。
【００１２】
【図４】図４は、図１〜図３に示すタッチスクリーンカバーシートアセンブリの微小直線状導電性要素（ＭＬＣＥ）の概略図である。
【００１３】
【図５】図５は、本発明の別の実施態様に基づいて形成した、タッチスクリーンカバーシートアセンブリの概略図である。
【００１４】
【図６】図６は、本発明の１つの実施態様に基づいて形成した、タッチスクリーン基板アセンブリの上面図である。
【００１５】
【図７】図７は、図６の線７−７に沿う、タッチスクリーン基板アセンブリの断面図である。
【００１６】
【図８】図８は、本発明の１つの実施態様に基づいて形成した、抵抗性タッチスクリーンシステムの断面図である。
【００１７】
【図９】図９は、本発明の１つの実施態様に基づいて形成した、容量性タッチスクリーンシステムの断面図である。
【発明を実施するための形態】
【００１８】
発明の詳細な説明
本明細書で用いる場合、材料上に２つの地点が存在し、その間で約１０メガオーム未満の抵抗を有するように測定され得る場合、その材料は導電性を有すると見なす。
【００１９】
図１は、本発明の１つの実施態様に基づいて作った、タッチスクリーンカバーシートアセンブリ１０の斜視図である。図２は、タッチスクリーンカバーシートアセンブリ１０の断面図である。アセンブリ１０を、抵抗性タッチスクリーンシステム（図１および図２に図示せず）と一緒に用いてよい。アセンブリ１０を組み込んだ例示的なタッチスクリーンシステムを、以下でより詳細に説明する。アセンブリ１０は、導電性材料１６によって少なくとも部分的に被覆した表面１４を有する絶縁層１２を含む。以下でより詳細に説明するように、導電性材料は、複数の微小直線状導電性要素（ＭＬＣＥｓ、図１および図２には図示せず）を含む。絶縁層１２は、端部部分１３、１５、１７および１９の間で延在する。場合によっては、一般的にはカバーシートアセンブリ１０および／または特に表面２０の耐久性の向上を助けるために、絶縁層１２は、表面１４に対向する表面２０にコーティング１８を含んでもよい。コーティング１８をいずれの適当な材料から作ってもよく、それは例えばアクリル樹脂および／またはガラスであるが、これらに限定されない。
【００２０】
図８について以下でより詳細に説明するように、使用に際して、表面１４およびその上の導電性材料１６が基板とほぼ向かい合うように、アセンブリ１０は、タッチスクリーンシステムの基板（図１および図２には図示せず）上に保持されている。コーティング１８の表面２１、あるいはコーティング１８を含まない場合、その代わりに表面２０は、タッチスクリーンシステムが表示した入力を選択するために、使用者が触れることができる露出したタッチ表面を提供する。
【００２１】
絶縁層１２が本明細書で説明するように機能できるいずれの適当な材料から絶縁層１２を作ってもよく、それは例えばポリエステル、ポリエチレンテレフタレート（ＰＥＴ）、ポリエチレンナフタレート（ＰＥＮ）および／またはガラスであるが、これらに限定されない。例えば、アセンブリ１０の特定の用途および／またはアセンブリ１０を一緒に用いるタッチスクリーンの種類に応じて、絶縁層１２は完全に透明または部分的に透明であってよい。幾つかの実施態様において、絶縁層１２の１つまたはそれより多くの部分は、不透明であってよい。例えば、アセンブリ１０の特定の用途ならびに／またはアセンブリ１０を一緒に用いるタッチスクリーンシステムの種類および／もしくは構造に応じて、絶縁層１２は、絶縁層１２が本明細書で説明するように機能できるいずれの適当な寸法および／または形状を有してもよく、それは例えば矩形、円形、三角形および／または楕円形の形状であるが、これらに限定されない。
【００２２】
図３は、参照数字２２で示される複数のＭＬＣＥｓを図示する、カバーシートアセンブリ１０の概略図である。図４は、ＭＬＣＥ２２の例示的な実施態様の概略図である。明確にするために、ＭＬＣＥｓ２２の寸法は誇張されており、ＭＬＣＥｓ２２のパターンの密度も低くなるように、ＭＬＣＥｓ２２の数は減らされている。アセンブリ１０を一緒に用いるディスプレイ（図示せず）に対して、導電性材料１６が所定の透明性を有するように、ＭＬＣＥｓ２２を配置する。特に、タッチスクリーンと一緒に用いる幾つかのディスプレイ（図示せず）は、偏光を発する。例えば、幾つかの液晶ディスプレイ（ＬＣＤｓ）は、偏光した光を発することがよく知られている。より詳細には、ＬＣＤｓは、一般的にはバックライト、バックライトと液晶材料との間に偏光フィルム、およびその液晶材料の反対側に第２偏光フィルムを含む。第２偏光フィルムに到達する光の偏光の向きに、液晶が及ぼす影響の結果として、ＬＣＤの各ディスプレイの画素は、電気的に制御される光バルブとして機能する。第２偏光フィルムを出る光は、直線偏光している。第２偏光フィルムの偏光軸の向きに応じて、ＬＣＤが発する光は、水平に偏光しても、垂直に偏光しても、４５°の角度に偏光しても、またはいずれかの他の向きに偏光してもよい。水平に偏光した光は、関連する電場が水平方向に振動する光である。垂直に偏光した光は、関連する電場が垂直方向に振動する光である。４５°の角度に偏光した光は、関連する電場が水平方向および垂直方向の双方に対して４５°の角度を成す方向に振動する光である。所定の透明性を提供するために、ＭＬＣＥｓ２２は、ディスプレイが発する偏光に対してそれぞれ配向する。導電性材料１６が、ディスプレイが発する偏光に部分的に透明または完全に透明であるように、ＭＬＣＥｓ２２は配向してよい。幾つかの実施態様において、導電性材料１６の必ずしも全ての部分が、所定の透明性を有するわけではないことが望ましいことがあり、そのような部分において、ＭＬＣＥｓ２２は、所定の透明性を提供するようには配向していない。
【００２３】
本明細書で用いる場合、ＭＬＣＥｓ２２を、電子が沿って動く導電性材料１６内での線形パスとしてそれぞれ規定する。（本明細書で用いる場合、「電子」は、電子または半導体の概念における「正孔」のいずれかである電荷担体を略した表記である）。以下でより詳細に説明するように、ＭＬＣＥｓ２２は、限定するわけではないが、カーボンナノ粒子、金属ナノ粒子、導電性ポリマーの原子の分子鎖および／または同様のものであってよい。ＭＬＣＥｓ２２が導電性ポリマーの原子の分子鎖である実施態様において、ＭＬＣＥｓ２２は、電子が沿って動く分子鎖の線形パスである。ＭＬＣＥｓ２２がカーボンナノ粒子、金属ナノ粒子および／または同様のものである実施態様において、ＭＬＣＥｓ２２は、電子が沿って動く線形パスを形成する、ナノ粒子、金属ナノ粒子および／または同様のものの部分である。図４に示すように、場合によっては、幾らかまたは全部のＭＬＣＥｓ２２は細長くてよく、そのＭＬＣＥｓ２２各々は、それらの太さ（または厚さ）Ｔよりも実質的に大きい（かつ図４の例示的な実施態様において、太さＴに等しいそれらの幅よりも実質的に大きい）長さＬを有する。例えば、ＭＬＣＥｓ２２は、それらの太さＴ（および／もしくはそれらの幅）の３倍またはそれより多くの倍数である長さＬを有してよい。場合によっては、長さＬは、太さＴ（および／もしくはそれらの幅）の１０倍またはそれより多くの倍数であってもよい。ＭＬＣＥｓ２２の細長い形状は、ＭＬＣＥｓ２２に異方性を有する導電特性を与える。例示的な実施態様において、ＭＬＣＥｓ２２の太さＴおよび幅が同じであるようにして、ＭＬＣＥｓ２２は略円形の断面を有しているが、ＭＬＣＥｓ２２は、いずれの適当な断面形状をそれぞれ含んでもよい。例示的な実施態様において、ＭＬＣＥｓ２２の太さＴおよび幅の寸法は、１ミクロンと等しいまたはそれより小さく、他方、ＭＬＣＥｓ２２の長さＬは１ミクロンより大きい。しかしながら、幾つかの実施態様において、ＭＬＣＥｓ２２の太さＴおよび／または幅の寸法は、１ミクロンより大きくてもよい。更に、ＭＬＣＥｓ２２の長さＬは、１ミクロンより小さくてもよい。本明細書で用いる場合、「微小」なる用語および「ナノ」なる接頭語は、１ミクロン未満またはそれと等しい寸法、ならびに１ミクロンより大きい寸法を意味してもよい。
【００２４】
ディスプレイが発する光に対する所定の透明性を提供するために、ＭＬＣＥｓ２２は、ディスプレイが発する偏光に対してそれぞれ配向する。導電性材料１６が、ディスプレイが発する光の偏光方向ＤＬに対して垂直な方向Ｄ１に偏光した別の偏光に対してよりも、ディスプレイが発する偏光に対して一層透明であるように、例えばＭＬＣＥｓ２２の長さＬを、ディスプレイが発する光の電場の方向ＤＬに対して配向するパターンで配置してよい。例えば、ＭＬＣＥｓ２２のパターンは、ディスプレイが発する光の偏光方向ＤＬに対して垂直である、ディスプレイのものではない他の偏光の偏光方向Ｄ１とより整列した整列方向ＤＭＬＣＥに配向していてよい。導電性材料１６が、ディスプレイが発する偏光に対する所定の透明性を提供するように、ディスプレイが発する光の電場の方向ＤＬに対して配向する整列方向ＤＭＬＣＥの別の例は、絶縁層１２の表面１４に対して垂直な方向である。整列方向ＤＭＬＣＥが絶縁層表面１４に対して垂直に延在するそのような実施態様において、整列方向ＤＭＬＣＥは、ディスプレイが発する光の偏光方向ＤＬおよびディスプレイが発する光の偏光方向ＤＬに対して垂直である、ディスプレイのものではない他の偏光の偏光方向Ｄ１の双方に対して垂直に延在し、従って、方向ＤＬおよびＤ１の双方に偏光した光に対する所定の透明性を提供する。更に、偏光していない光を発するディスプレイにとって、光の横波特性は、方向ＤＭＬＣＥと双方とも垂直であるＤＬ方向およびＤ１方向に偏光成分を更に制限し、従って、整列方向ＤＭＬＣＥが絶縁層表面１４に対して垂直に延在する実施態様によって、偏光していない光を発するディスプレイに同じ透明性の利点が提供される。整列方向ＤＭＬＣＥが絶縁層表面１４に対して垂直に延在するそのような実施態様において、導電層１６の導電率は減少し得る。絶縁表面に対して垂直に延在する整列方向に配向するＭＬＣＥｓ２２もあれば、絶縁層表面１４と平行に延在する整列方向に配向するＭＬＣＥｓ２２もある実施態様を用いることによって、導電率のそのような減少を、少なくとも部分的に埋め合わせてよい。
【００２５】
幾つかの実施態様において、導電性材料１６が、ディスプレイが発する偏光に対して垂直に偏光した光に対してよりも、ディスプレイが発する光に対して少なくとも１％一層透明であるように、ＭＬＣＥｓ２２のパターンは配向している。他の実施態様において、導電性材料１６が、ディスプレイが発する偏光に対して垂直に偏光した光に対してよりも、ディスプレイが発する光に対して少なくとも２％一層透明であるように、ＭＬＣＥｓ２２のパターンは配向している。更に他の実施態様において、導電性材料１６が、ディスプレイが発する偏光に対して垂直に偏光した光に対してよりも、ディスプレイが発する光に対して少なくとも５％一層透明であるように、ＭＬＣＥｓ２２のパターンは配向している。
【００２６】
図１〜図４の例示的な態様において、ＭＬＣＥｓ２２のパターンが配向する整列方向ＤＭＬＣＥは、ディスプレイが発する光の偏光方向ＤＬに対して垂直に偏光した、ディスプレイのものではない他の偏光の偏光方向Ｄ１とほぼ整列する。言い換えると、整列方向ＤＭＬＣＥは、ディスプレイが発する光の偏光方向ＤＬに対して垂直にほぼ整列し、図１〜図４の実施形態において、方向ＤＭＬＣＥがほぼ水平であるように、それはほぼ垂直である。ディスプレイが発する偏光の電場は電子を励起し、それらの太さＴに沿って（方向ＤＬに沿って）ＭＬＣＥｓ２２内で移動させる。ＭＬＣＥｓ２２の太さＴは、それらの長さＬよりも実質的に小さい。電子をＭＬＣＥｓ２２の長さＬに沿って移動するように励起させる場合に限っては、電場によって励起させられる電子は動かない。ＭＬＣＥｓ２２の太さＴに沿う例示的な電子の動き２３を図４に図示する。従って、ＭＬＣＥｓ２２は、偏光していない光または方向ＤＬに対して傾く方向に偏光した光（例えば、ディスプレイが発する光に対して垂直な偏光）よりも、ディスプレイが発する偏光とそれほど相互作用せず、従って、それほど散乱または吸収しない。
【００２７】
必ずしも全てのＭＬＣＥｓ２２の長さＬが、整列方向ＤＭＬＣＥにほぼ配向しているわけでなくてもよい。図３に示すように、幾つかの態様においては、むしろ幾らかのＭＬＣＥｓ２２の長さＬは、整列方向ＤＭＬＣＥにほぼ配向しているわけではなく、むしろ方向ＤＭＬＣＥに対して傾いて配向している。しかしながら、図３の実施態様において、ＭＬＣＥｓ２２の配向の分布は、ＭＬＣＥｓ２２のパターンが、整列方向ＤＭＬＣＥに平均的な全体としての配向を有するようなものである。特に、ほぼ方向ＤＭＬＣＥに配向する長さＬを有するＭＬＣＥｓ２２の数、および方向ＤＭＬＣＥに対して傾き角度をなす各ＭＬＣＥｓ２２の角度は、導電性材料１６のディスプレイが発する偏光に対する所定の透明性を提供するのに十分である。更に、ＭＬＣＥｓ２２が、導電性材料１６内で導電性ネットワークを形成するために、ＭＬＣＥｓ２２は電気的に相互接続される必要がある。従って、ＭＬＣＥｓ２２はそれらの長さＬに沿って実質的に真っ直ぐであることから偏奇してよく、（図３に示すように）ＭＬＣＥｓ２２は互いに重なってよく、および／またはＭＬＣＥｓ２２は、ＭＬＣＥｓ２２を電気的に相互接続させるのに十分な導電率を有する、（限定するわけではないが、導電性ポリマーのような）マトリックス材料内に分散していてもおよび／または含有されていてよい。幾つかの他の実施形態において、例えば、限定するわけではないが、整列方向ＤＭＬＣＥが絶縁層１２の表面に対してほぼ垂直に延在する実施形態、および／または所望の配向にＭＬＣＥｓ２２を配置するために、（以下に記載する）テンプレートを用いる場合、全てのＭＬＣＥｓ２２の長さＬが整列方向ＤＭＬＣＥにほぼ配向していてよい。
【００２８】
導電性材料１６のディスプレイが発する偏光に対する所定の透明性を提供できるほど、ディスプレイが発する偏光の電場によって引き起こされる電子の動きが小さくなるように、ＭＬＣＥｓ２２の太さを選択してよい。ディスプレイが発する偏光に対する所定の透明性を提供するＭＬＣＥｓ２２の太さＴのいずれの適当な値を選択してもよく、それは例えば、およそ分子の寸法から、ディスプレイが発する偏光の波長よりも小さい範囲のおよそ何百ナノメートルかの間であるが、これに限定されない。
【００２９】
図３に示すＭＬＣＥｓ２２のパターンの例示的な配向は、ディスプレイが発する偏光に対する所定の透明性を提供することに加え、周辺光の反射の吸収を促すことができる。特に、方向ＤＭＬＣＥにほぼ平行な方向に偏光した周辺光の一部は電子を励起させ、ＭＬＣＥｓ２２の長さＬに沿って移動させる。ＭＬＣＥｓ２２の太さＴおよび長さＬに沿う例示的な電子の動き２３を図４に図示する。ＭＬＣＥｓ２２の太さ（または厚さ）Ｔに沿う動きと比べて、長さＬに沿う電子のより大きな動きは、ＭＬＣＥｓ２２に方向ＤＭＬＣＥとほぼ平行に偏光した周辺光を吸収させる。従って、導電性材料１６は、周辺光の一部が絶縁層１２を通って進むことを阻止するよう促すことができる。そのようにして、例えば、ディスプレイの表面から反射する周辺光を抑えることにより、ディスプレイのコントラスト比を高めることを促す「減光フィルタ」として、導電性材料１６を用いることができる。
【００３０】
ＭＬＣＥｓ２２を含む導電性材料１６を、導電性材料１６が本明細書で説明するように機能できるいずれの適当な材料から作ってもよく、それは例えばカーボンナノ粒子、金属ナノ粒子および／または導電性ポリマーであるが、これらに限定されない。カーボンナノ粒子には、カーボンナノ粒子が本明細書で説明するように機能できるいずれの適当な形状、特性、構造および／または同様のものが含まれてもよく、それは例えばカーボンナノチューブ、カーボンナノファイバ、カーボンナノスフィアおよび／またはカーボンナノワイヤであるが、これらに限定されない。本明細書で用いる場合、「カーボンナノチューブ」なる用語は、例えば、シリンダー状構造を有するフラーレンなど、炭素を含むナノチューブを意味する。本明細書で説明する金属ナノ粒子を、いずれの適当な金属から作ってもよく、それは例えば銀、ビスマス、金、ニッケル、スズ、銅、亜鉛および／またはいずれかの他の導電性金属であるが、これらに限定されない。金属ナノ粒子には、金属ナノ粒子が本明細書で説明するように機能できるいずれの適当な形状、特性、構造および／または同様のものが含まれてもよく、それは例えば金属ナノファイバ、金属ナノスフィア、金属ナノチューブおよび／または金属ナノワイヤであるが、これらに限定されない。適当な導電性ポリマーの例には、チオフェン誘導体ポリマーおよび／またはポリチオフェン誘導体ポリマーが含まれるが、これらに限定されない。先に説明したように、導電性材料１６をカーボンナノ粒子および／または金属ナノ粒子から少なくとも部分的に作った実施態様において、その金属ナノ粒子はＭＬＣＥｓ２２である。先にも説明したように、導電性材料１６を導電性ポリマーから少なくとも部分的に作った実施態様において、ＭＬＣＥｓ２２は、ポリマーの（限定するわけではないが、炭素原子のような）原子の分子鎖である。導電性材料１６は、ナノ粒子および／または原子の分子鎖が本明細書で説明するように配向して機能できる、カーボンナノ粒子、金属ナノ粒子および／または導電性ポリマーを含む、いずれの適当な構造を有してもよい。導電性材料１６を構築するのに適当であり得るカーボンナノ粒子および／または金属ナノ粒子を含む構造の例には、所望の配向に配置した複数のナノ粒子から少なくとも部分的に成る層、フィルムおよび／または布帛が含まれるが、これらに限定されない。導電性材料１６を、ナノ粒子および／もしくは原子の分子鎖の単層である、カーボンナノ粒子、金属ナノ粒子および／もしくは原子の分子鎖の布帛、層ならびに／またはフィルムから構築してよく、あるいは場合によっては、カーボンナノ粒子、金属ナノ粒子および／または原子の分子鎖の複数の層から構築してもよい。幾つかの実施形態において、カーボンナノ粒子および／または金属ナノ粒子は、導電性材料１６が本明細書で説明するように機能できる、１つもしくはそれより多くの他の適当な材料に分散していてもおよび／または含有されていてよく、それは例えば透明なポリマーおよび／または透明なセラミックであるが、これらに限定されない。マトリックスに適当なポリマーの例には、ポリメチルメタクリレート（ＰＭＭＡ）ポリアクリレート、ポリアクリロニトリル、ポリビニルアルコール、ポリエステル、ポリカーボネート、ポリウレタン、ポリビニルクロライドおよび／または溶媒に可溶ないずれかの他のポリマーが含まれるが、これらに限定されない。適当な溶媒の例には、トルエン、キシレン、メチルエチルケトン（ＭＥＫ）および／または同様のものが含まれるが、これらに限定されない。
【００３１】
カーボンナノ粒子に関して、適当に制御した方向、長さおよび同様のものを有する個々のナノ粒子を成長させるまたは配置するために、カーボンナノ粒子の直接成長および／または化学的な自己集積化を用いてよい。カーボンナノ粒子に関して、導電性材料１６には、単層カーボンナノチューブおよび／または多層カーボンナノチューブが含まれてよい。更に、カーボンナノチューブは、元の状態であっても、限定するわけではないが、金属のような別の材料によって機能化および／または充填され、カーボンナノチューブの内腔内に封入された「ナノワイヤ」を形成してもよい。
【００３２】
適用できる場合、導電性材料１６を絶縁層表面１４上で直接成長させて、またはその表面に配置してよく、あるいは表面１４であらかじめ作り配置してよい。導電性材料１６が本明細書で説明するように機能できるいずれの適当な方法、プロセス、構造ならびに／または手段を用いて、導電性材料１６を絶縁層表面１４に適用してもよく、それは例えばスピンコーティング、浸漬、噴霧（例えば、限定するわけではないが、エアロゾル塗布など）、スクリーン印刷操作、ならびに／または表面１４上での直接成長（例えば、限定するわけではないが、スピンコートした触媒に基づく成長および／もしくは気相触媒の補助による化学蒸着（ＣＶＤ）など）であるが、これらに限定されない。例えば、限定するわけではないが、スピンコーティング、噴霧、浸漬および／またはスクリーン印刷方法など、幾つかの配置方法において、導電性ポリマー原子、カーボンナノ粒子および／または金属ナノ粒子を、可溶性または不溶性の形態で適当な溶媒に分散および／または含有させてよい。表面１４へのそのような例示的な種類の適用を制御するためのパラメータには、下部表面の表面機能化、スピンコーティングパラメータ（例えば、限定するわけではないが、長さ、ＭＬＣＥ懸濁濃度、スピンコーティング溶液濃度および／もしくは１分間あたりの回転数（ＲＰＭ））、適用の回数、温度、ｐＨ、時間、触媒密度／濃度ならびに／または成長環境（限定するわけではないが、例えば成長時間、成長温度、および／もしくは気体濃度）が含まれる。ＭＬＣＥｓ２２がカーボンナノ粒子を含む場合、ナノ粒子間の内側接着性の向上を助けるために、場合によっては、（限定するわけではないが、例えば、カーボンナノ粒子にグラフトしたカルボキシル基を用いて、カーボンナノ粒子にグラフトしたジスルフィド基を用いて、カーボンナノ粒子にグラフトしたチオフェン基を用いて、および／または限定するわけではないがピレンのような平面共役炭化水素を用いて）、カーボンナノ粒子を機能化してもよい。本明細書で説明する幾つかの適用の間、カーボンナノ粒子は「自己組織化」特性を示してよく、そこでは個々のナノチューブは、エネルギー的に好ましい時はいつでも、適用される表面に接着する傾向がある。例えば、アセンブリ１０の特定の用途および／またはアセンブリ１０を一緒に用いるタッチスクリーンシステムの種類に応じて、個々のカーボンナノ粒子は、ファンデルワールス力の結果として互いに接着してよい。
【００３３】
ＭＬＣＥｓ２２を、いずれの適当な方法、プロセス、構造および／または手段を用いて所望の配向に配置してもよく、それは例えば流量調節、スクリーン印刷、電場効果、ＭＬＣＥｓ２２を少なくとも部分的に受容する寸法および形状の溝を含むテンプレート、および／または自己整列する特性の利用であるが、これらに限定されない。別の実施例は、最初にＭＬＣＥｓ２２の不規則に配向したネットワークを形成し、次に、望ましくない配向を有するＭＬＣＥｓ２２を、限定するわけではないが、偏光した赤外線および／または高周波（ＲＦ）加熱を用いるなどして除去および／または破壊することを含む。更なる別の実施例は、ＭＬＣＥｓ２２を所望の配向パターンで、限定するわけではないが、成長させるおよび／または配置するなどして形成すること、ならびに限定するわけではないが、先に記載したポリマーマトリックスのようなマトリックス内にＭＬＣＥｓ２２の少なくとも一部を分散および／または含有させることによって、ＭＬＣＥｓ２２のそれぞれの位置を固定することを含む。
【００３４】
導電性材料１６は、導電性材料１６が本明細書で説明するように機能できるいずれかの適当な厚さで、表面１４を被覆していてよい。場合によっては、一定の、限定するわけではないが抵抗のような導電特性を提供するために、導電性材料１６が、表面１４を均一な厚さで被覆する。幾つかの実施態様において、導電性材料１６の厚さを、ＭＬＣＥｓ２２の長さによって規定してよい。他の実施態様において、導電性材料１６の厚さは、層がＭＬＣＥｓ２２の１層のみを含む場合、ＭＬＣＥｓ２２の１つの幅、太さおよび／または直径によって規定されてよく、あるいは導電性材料１６がＭＬＣＥｓ２２の１つより多くの層を含む場合、ＭＬＣＥｓ２２の複数の幅、太さおよび／または直径によって規定されてよい。導電性材料１６が本明細書で説明するように機能できるいずれかの適当な抵抗を提供するために、導電性材料１６の、例えば材料および／または厚さを選択してよく、それは例えば、約１００オーム／スクエア〜約１０００オーム／スクエアの抵抗であるが、これに限定されない。選択する抵抗を、例えばアセンブリ１０の特定の用途および／またはアセンブリ１０を一緒に用いるタッチスクリーンシステムの種類に応じて決めてよい。
【００３５】
図３および図４では、ディスプレイが発する偏光の電場の方向ＤＬがほぼ垂直であるように示されているが、方向ＤＬは、（図３および図４に示すように）ほぼ垂直に限定されない。むしろ、ディスプレイが発する光は、いずれの方向ＤＬに偏光してもよい（および整列方向ＤＭＬＣＥを、所定の透明性を提供する、方向ＤＬに対するいずれの方向として選択してもよい）。例えば、別の態様において、方向ＤＬは、（図６に示すように）ほぼ水平であってもよい。方向ＤＬは、ほぼ水平およびほぼ垂直以外の他の方向であってもよい。例えば、図５は、ディスプレイが発する光の偏光方向ＤＬが、水平および垂直に対してほぼ４５°に延在する実施態様を図示する。図５の例示的な実施態様において、導電性材料４１６の複数のＭＬＣＥｓ２２のパターンの整列方向ＤＭＬＣＥは、ディスプレイが発する偏光の方向ＤＬに対してほぼ垂直である。
【００３６】
導電性材料４１６およびＭＬＣＥｓ４２２は、導電性材料１６（図１〜図３）およびＭＬＣＥｓ２２とそれぞれ実質的に同様である。従って、導電性材料１６およびＭＬＣＥｓ２２の説明および図示を、導電性材料４１６およびＭＬＣＥｓ４２２に適用できる。例えば、導電性材料４１６の構成、材料構築、構造物の太さ（または厚さ）、電気特性、機械特性、利点、適用方法および／または手段ならびに同様のもの、ならびにＭＬＣＥｓ２２の利点、構成、配置、構造、材料構築配向、寸法、形状および同様のものは、導電性材料１６およびＭＬＣＥｓ２２のそれとそれぞれ実質的に同様である。従って、導電性材料４１６およびＭＬＣＥｓ４２２を本明細書で更に詳細には説明しない。
【００３７】
図６は、本発明の１つの態様に基づいて形成したタッチスクリーン基板アセンブリ１１０の上面図である。図７は、図６の線７−７に沿って得られるアセンブリ１１０の断面図である。アセンブリ１１０を、例えば、抵抗性または容量性タッチスクリーンシステムなど、いずれの適当なタッチスクリーンシステム（図６および図７に図示せず）と一緒に用いてもよい。アセンブリ１１０を組み込んだ例示的なタッチスクリーンシステムを、以下でより詳細に説明する。アセンブリ１１０は、導電性材料１１６によって少なくとも部分的に被覆した表面１１４を有する基板１１２を含む。表面１１４を被覆する導電性材料１１６は、表面１１４に導電性タッチ領域１１８を提供する。アセンブリ１１０は、タッチ領域１１８を縁取る、導電性材料１１６上の導電性電極１２０のパターンによって形成された、抵抗のネットワークを含む。
【００３８】
導電性材料１１６は、詳細Ａに図示する複数のＭＬＣＥｓ１２２を含む。明確にするために、ＭＬＣＥｓ１２２の寸法および間隔は誇張されていてよく、かつＭＬＣＥｓ１２２のパターン全体の密度も減少するように、ＭＬＣＥｓ１２２の数は減らされていてよい。ＭＬＣＥｓ２２（図３および図４）を有する場合、導電性材料１１６が、アセンブリ１１０を一緒に用いるディスプレイ（図示せず）に対して所定の透明性を有するように、ＭＬＣＥｓ１２２を配置する。例示的な態様において、ＭＬＣＥｓ１２２のパターン全体が、方向ＤＬに対してほぼ垂直な方向ＤＭＬＣＥに配向するように配置されており、導電性材料１１６は、ディスプレイが発する偏光にほぼ完全に透明であるように、ＭＬＣＥｓ１２２は配置されている。
【００３９】
導電性材料１１６およびＭＬＣＥｓ１２２は、導電性材料１６（図１〜図３）およびＭＬＣＥｓ２２とそれぞれ実質的に同様である。従って、導電性材料１６およびＭＬＣＥｓ２２の説明および図示は、導電性材料１１６およびＭＬＣＥｓ１２２にそれぞれ適用できる。例えば、導電性材料１１６の構成、材料構築、構造物の太さ、電気特性、機械特性、利点、適用方法および／または手段ならびに同様のもの、ならびにＭＬＣＥｓ１２２の利点、構成、配置、構造、材料構築配向、寸法、形状および同様のものは、導電性材料１６およびＭＬＣＥｓ２２とそれぞれ実質的に同じである。従って、導電性材料１１６およびＭＬＣＥｓ１２２を本明細書で更に詳細には説明しない。しかしながら、使用者が触れた時、導電性材料１６と異なり、導電性材料１１６は曲げられていないことを意味してよく、従って、幾つかの実施態様において、導電性材料１１６はよりもろい構築物によって作られてよい。
【００４０】
導電性材料１１６のＭＬＣＥｓ１２２の異方特性は、アセンブリ１１０を含むタッチスクリーンシステムの動作に影響を及ぼし得る。例えば、ＭＬＣＥｓ１２２の異方特性は、使用者が触った時、タッチ領域１８の座標測定に間違いまたは変化をもたらし得る。そのような間違いまたは変化は、例えば、タッチスクリーンシステムの較正の間に決定される補正係数を用いて、補正される必要があり得る。
【００４１】
例示的な実施態様において、電極１２０は導電性材料１１６に直接配置されている。別の実施態様において、電極１２０は、導電性材料１１６の下部で基板表面１１４に直接配置されている。電極１２０のパターンは、ほんの例示的なものを意味しており、従って、電極１２０は、図６に示すパターンに限定されない。むしろ電極１２０は、タッチスクリーン基板アセンブリ１１０が本明細書で説明するように機能できるいずれの適当なパターンを有してもよい。同様に、電極１２０は、例えば、アセンブリ１１０の特定の用途および／もしくはアセンブリ１１０を一緒に用いるタッチスクリーンシステムの種類によって決めることができる、いずれの適当な寸法、形状、抵抗、導電率を有してもよく、ならびに／またはいずれの適当な材料（例えば、限定するわけではないが、銀のフリットおよび／もしくはＭＬＣＥｓ１２２の密度がより高い導電性材料１１６の材料など）から作ってもよい。例えば、アセンブリ１１０の特定の用途および／またはアセンブリ１１０を一緒に用いるタッチスクリーンシステムの種類に応じて、電極１２０は完全に透明、部分的に透明、または不透明であってよい。アセンブリ１１０において、既知のタッチスクリーン基板のデザインの中で、導電性電極１２０と組み合わせて時々含まれる欠失ライン（ｄｅｌｅｔｉｏｎ  ｌｉｎｅ）（図示せず）を形成するように、導電性材料１１６のある領域を除去してよい。
【００４２】
基板１１２を、基板１１２が本明細書で説明するように機能できるいずれの適当な材料から作ってもよく、それは例えばガラス、セラミック、および／またはプラスチックであるが、これらに限定されない。例えば、アセンブリ１１０の特定の用途および／またはアセンブリ１１０を一緒に用いるタッチスクリーンシステムの種類に応じて、基板１１２は完全に透明または部分的に透明であってよい。例えば、アセンブリ１１０の特定の用途ならびに／またはアセンブリ１１０を一緒に用いるタッチスクリーンシステムの種類および／もしくは構造に応じて、基板１１２は、絶縁層１１２が本明細書で説明するように機能できるいずれの適当な寸法および／または形状を有してもよく、それは例えば矩形、円形、三角形および／または楕円形の形状であるが、これらに限定されない。
【００４３】
例えば、アセンブリ１１０の特定の用途ならびに／またはアセンブリ１１０を一緒に用いるタッチスクリーンシステムの種類に応じて、タッチ領域１１８は、タッチ領域１１８が本明細書で説明するように機能できるいずれの適当な寸法および／または形状を有してもよく、それは例えば矩形、円形、三角形および／または楕円形の形状であるが、これらに限定されない。例示的な実施態様において、タッチ領域１１８は略矩形形状を有し、電極１２０によって縁取られる基板表面１１４の領域を覆う。
【００４４】
図８は、本明細書で説明および／もしくは図示するタッチスクリーン基板アセンブリの実施態様ならびに／またはカバーシートアセンブリの実施態様を含むことができる、抵抗性タッチスクリーンシステム２００の断面図である。幾つかの実施態様において、抵抗性タッチスクリーンシステム２００は４線式システムである。別の実施態様において、システム２００は５線式システムであってよい。限定するわけではないが、ＬＣＤおよび／または偏光を発するいずれかの他の種類のディスプレイのような、いずれの適当なディスプレイ（図示せず）にシステム２００を取り付けてもよい。例示的な実施態様において、システム２００は、カバーシートアセンブリ１０および基板アセンブリ１１０の双方を含み、先に説明したように、システム２００は、基板１１２、導電性材料１１６、導電性材料１６および絶縁層１２を含む。別の実施態様において、システム２００は、アセンブリ１０またはアセンブリ１１０のいずれかを含む。システム２００がアセンブリ１０または１１０の一方のみを含むそのような実施態様において、含まれないアセンブリは、既知の常套の導電性コーティングを含む類似のアセンブリ（図示せず）によって置き換えられている。
【００４５】
複数の絶縁ドット２０２が、カバーシートアセンブリ１０を基板アセンブリ１１０から離間させている。特に絶縁ドット２０２は、絶縁層１２上の導電性材料１６を基板アセンブリ１１０の導電性材料１１６から離間させる。表面１１４に対向する基板１１２の表面２０４は、タッチスクリーンを一緒に用いるディスプレイの面（図示せず）にわたって一般的に配置されている。５線式抵抗性タッチスクリーンの動作において、タッチ領域１１８に電気的に接続しているプロセッサ（図示せず）は、タッチ領域１１８を横断する電圧をＸ方向およびＹ方向に切り替える。４線式抵抗性タッチスクリーンの動作において、材料１６または１１６の一方におけるＸ方向の電圧勾配は、材料１６および１１６の他方におけるＹ方向の電圧勾配と交互に切り替えられる。使用者が、タッチ領域１１８の内側の箇所で、絶縁層１２のタッチ表面（２１、あるいはコーティング１８を含まない場合、その代わりに表面２０）に触れることにより入力を行なうと、その接触は、絶縁層１２を基板１１２に向かって動かす。基板１１２に向かう絶縁層１２の動きは、絶縁層１２上の導電性材料１６を、動きの箇所にて基板アセンブリ１１０の導電性材料２１６と係合させ、それによって、それと電気的に接触または触れさせる。プロセッサに接続する電気回路（図示せず）は、使用者の入力を処理するために、接触に関連する電圧または等電位をデジタル化し、その電圧または等電位をそのプロセッサまたはコンピュータもしくは他の機器のプロセッサに送る。
【００４６】
図９は、本明細書で説明および／または図示するタッチスクリーン基板アセンブリの実施態様を含むことができる容量性タッチスクリーンシステム３００の断面図である。システム３００をいずれの適当なディスプレイ（図示せず）に取り付けてもよく、それは例えばＬＣＤおよび／または偏光を発するいずれかの他の種類のディスプレイであるが、これらに限定されない。例示的な実施形態において、システム３００は基板アセンブリ１１０を含み、先に説明したように、基板アセンブリは、基板１１２および導電性材料１１６を含む。システム３００は、アセンブリ１１０のタッチ領域１１８にわたって配置した絶縁層３１２も含む。特に、基板１１２と向き合う絶縁層３１２の表面３０２は、基板１１２上の導電性材料１１６に直接配置されている。一般的には絶縁層３１２および／または特に面３０４の耐久性を向上させるために、絶縁層３１２は、表面３０２に対向する表面３０４上のコーティング（図示せず、限定するわけではないが、例えば無機シリカなど）を含んでよい。場合によっては、基板１１２の表面２０４を、少なくとも部分的に透明な導電性材料５１６によって、少なくとも部分的に被覆してもよい。導電性材料５１６は、容量結合からおよびディスプレイからの電気的干渉からシステム３００を保護するガード電極としての機能を果たすことができる。幾つかの実施態様において、導電性材料５１６を既知の常套の導電性コーティングから作る。別の態様において、導電性材料５１６は、導電性材料５１６がディスプレイに対して所定の透明性を有するように配置したＭＬＣＥｓ（図示せず）を含む。例示的な実施態様において、導電性コーティング５１６は、ディスプレイが発する偏光の電場の方向に対してほぼ垂直にＭＬＣＥｓのパターン全体が配向するように配置したＭＬＣＥｓを含み、導電性材料５１６が、ディスプレイが発する偏光にほぼ完全に透明であるようにする。
【００４７】
表面１１４に対向する、基板１１２の表面２０４は、タッチスクリーンを一緒に用いるディスプレイの面（図示せず）にわたって一般的に配置されている。動作時、タッチ領域１１８と電気的に接続するプロセッサ（図示せず）は、タッチ領域１１８に交流電圧またはパルス電圧を適用する。タッチ領域１１８の内側の箇所にて、絶縁層３１２のタッチ表面３０４（または別の態様において、含まれる場合、表面３０４上のコーティング）を触ることによって、使用者が入力する場合、ＡＣ電流が導電性材料１１６から引き出され、使用者の体を通って地面に流れる。使用者を通って地面に到る電流は、電極１２０に接続された電気回路（図示せず）によって供給される。電気回路は、使用者の入力を処理するために、そのプロセッサまたはコンピュータもしくは他のデバイスのプロセッサと連絡し、接触部のＸおよびＹ座標の測定を提供する。
【００４８】
例示的な実施態様において、システム３００は、導電性材料１１６および導電性材料５１６の双方を含む。別の態様において、システム３００は、材料１１６または材料５１６のいずれかを含むだけである。システム２００が材料１１６および材料５１６の一方を含むだけのそのような実施態様において、含まれていない材料は、既知の常套の導電性コーティングである類似の導電性材料（図示せず）によって置き換えられている。場合によっては、システム３００は、基板表面２０４を少なくとも部分的に被覆するいずれの導電性材料も含まない。
【００４９】
導電性材料５１６および対応するＭＬＣＥｓは、導電性材料１６（図１〜図３）およびＭＬＣＥｓ２２とそれぞれ実質的に同様である。従って、導電性材料１６およびＭＬＣＥｓ２２の説明および図示を、導電性材料５１６および対応するＭＬＣＥｓに適用できる。例えば、導電性材料５１６の構成、材料構築、構造物の太さ、電気特性、機械特性、利点、適用方法および／または手段ならびに同様のもの、ならびに対応するＭＬＣＥｓの利点、構成、配置、構造、材料構築配向、寸法、形状および同様のものは、導電性材料１６およびＭＬＣＥｓ２２のそれとそれぞれ実質的に同様である。従って、導電性材料５１６および対応するＭＬＣＥｓを本明細書で更に詳細には説明しない。材料１１６と同様に、および材料１６と異なり、材料５１６は曲げを被らず、従って、よりもろい構築物であってよい。
【００５０】
絶縁層３１２を、絶縁層３１２が本明細書で説明するように機能できるいずれの適当な材料から作ってもよく、それは例えば二酸化ケイ素、ガラス、別の種類の無機層ならびに／または限定するわけではないが、ポリエステル、ポリエチレンテレフタレート（ＰＥＴ）および／もしくはポリエチレンナフタレート（ＰＥＮ）のようなポリマーフィルムであるが、これらに限定されない。例えば、システム３００の特定の用途に基づいて、絶縁層３１２は、完全に透明または部分的に透明であってよい。幾つかの態様において、絶縁層３１２の１つまたはそれより多くの部分は不透明であってよい。絶縁層３１２は、例えば、システム３００の特定の用途に応じて、絶縁層３１２が本明細書で説明するように機能できるいずれの適当な寸法および／または形状を有してもよく、それは例えば矩形、円形、三角形および／または楕円形の形状であるが、これらに限定されない。
【００５１】
本明細書で説明および／または図示した実施態様は、導電性材料の所定の度合いの導電率を維持しながら、所定の偏光方向に偏光した光への更なる透明性を有することができる、ＭＬＣＥに基づく導電性材料を有するタッチスクリーンを提供する。
【００５２】
例示的な実施態様は、本明細書で詳細に説明および／または図示されている。実施態様は、本明細書で説明する特定の実施態様に限定されず、むしろ、各実施態様の構成部材および／または段階を、本明細書で説明する他の構成部材および／または段階から独立して、かつ別個に利用することができる。１つの実施態様の各構成部材および／または各段階を、他の実施態様の他の構成部材および／または段階と組み合わせて用いることもできる。本明細書で説明および／または図示する要素／構成部材／その他を導入する場合、「１つの」、「その」、「該」および「少なくとも１つの」なる冠詞は、１つまたはそれより多くの要素／構成部材／その他が存在することを意味するように意図されている。「有して成る（含んで成る）」、「含む」および「有する」なる用語は、列挙した要素／構成部材／その他以外の更なる要素／構成部材／その他が存在してもよいことを包括および意味するように意図されている。更に、請求項中の「第１」、「第２」および「第３」などの用語は単なる標識として用いられており、それらの物体に番号順的な要件を課すことは意図されていない。更に、以下の請求項の限定は、更なる構造物の機能が後続する「のための手段」なる記載について明確に言及していない限り、手段＋機能のフォーマットで記載されておらず、かつ３５Ｕ．Ｓ．Ｃ．§１１２の第６段落に基づいて解釈されることを意図していない。
【００５３】
本発明を種々の特定の実施態様の観点から説明してきたが、当業者は、本発明が請求項の概念および範囲内で、変更を加えて実施できることを理解するだろう。
【図１】
2010537275.tif 000002
【図２】
2010537275.tif 000003
【図３】
2010537275.tif 000004
【図４】
2010537275.tif 000005
【図５】
2010537275.tif 000006
【図６】
2010537275.tif 000007
【図７】
2010537275.tif 000008
【図８】
2010537275.tif 000009
【図９】
2010537275.tif 000010
【国際調査報告】
2010537275.tif 000011
2010537275.tif 000012
2010537275.tif 000013